(57)【要約】【課題】絶縁構造を簡素化できる布帛の接続部材を提供すること。【解決手段】布帛３０に織り込まれている複数の導電糸３２ａの各端末側を布帛３０から露出させ、この露出させた複数の導電糸３２ａの各端末側が電気的に接続状態となるように導電性を有する接続部材５０でこの各端末側を覆っている布帛における接続部材５０の絶縁構造では、布帛３０は、接続部材５０が布帛３０の表面から露出することがないように、その接続部材側５０の縁が内側または外側に向けて折り畳まれている。【選択図】図１０
2014136446.tif 000002
【特許請求の範囲】
【請求項１】
布帛に織り込まれている複数の導電糸の各端末側を布帛から露出させ、この露出させた複数の導電糸の各端末側が電気的に接続状態となるように導電性を有する接続部材でこの各端末側を覆っている布帛における接続部材の絶縁構造であって、
布帛は、接続部材が布帛の表面から露出することがないように、その接続部材側の縁が内側または外側に向けて折り畳まれていることを特徴とする布帛における接続部材の絶縁構造。
【請求項２】
布帛に織り込まれている複数の導電糸の各端末側を布帛から露出させ、この露出させた複数の導電糸の各端末側が電気的に接続状態となるように導電性を有する接続部材でこの各端末側を覆っている布帛における接続部材の絶縁構造であって、
布帛は、接続部材が布帛の表面から露出することがないように、この布帛と隣り合う別の布帛の縁によって覆われていることを特徴とする布帛における接続部材の絶縁構造。
【請求項３】
請求項１〜２のいずれかに記載の布帛における接続部材の絶縁構造であって、
布帛の内面側には、クッション材が積層されており、
クッション材は、接続部材側の縁が内側または外側に向けて折り畳まれる部位において、または、隣り合う別の布帛の縁によって覆われる部位において、肉薄状に形成されていることを特徴とする布帛における接続部材の絶縁構造。
【発明の詳細な説明】
【技術分野】
【０００１】
本発明は、布帛における接続部材の絶縁構造に関する。
【背景技術】
【０００２】
従来、乗物用シートとして、シートクッションやシートバックにヒーターが内蔵されている車両用シートが既に知られている。ここで、下記特許文献１には、シートクッションのクッションカバーにその幅方向に沿って複数本のヒーター線が織り込まれている車両用シートが開示されている。このような車両用シートを、複数本のヒーター線がクッションカバーの下側に設けられているシートクッションを備えた車両用シートと比較すると、着座者と接するクッションカバーそのものが暖かくなるため、車両用シートのヒーター性能を高めることができる。
【先行技術文献】
【特許文献】
【０００３】
【特許文献１】特開２０１０−２４５００６号公報
【発明の概要】
【発明が解決しようとする課題】
【０００４】
しかしながら、上述した特許文献１の技術では、複数本のヒーター線に電源装置から通電させるために、導電性を有する接続部材によって、これら複数本のヒーター線の各端末を１本に纏めなければいけなかった。このように纏めると接続部材そのものも通電するため、絶縁性を有する保護材で接続部材の表面を覆わなければいけなかった。したがって、接続部材の絶縁構造が複雑になっていた。
【０００５】
本発明は、このような課題を解決しようとするもので、その目的は、絶縁構造を簡素化できる布帛の接続部材を提供することである。
【課題を解決するための手段】
【０００６】
本発明は、上記の目的を達成するためのものであって、以下のように構成されている。
請求項１に記載の発明は、布帛に織り込まれている複数の導電糸の各端末側を布帛から露出させ、この露出させた複数の導電糸の各端末側が電気的に接続状態となるように導電性を有する接続部材でこの各端末側を覆っている布帛における接続部材の絶縁構造であって、布帛は、接続部材が布帛の表面から露出することがないように、その接続部材側の縁が内側または外側に向けて折り畳まれていることを特徴とする。
この構成によれば、接続部材の両面（表面と裏面）は布帛そのものによって覆われるため、接続部材の露出面は絶縁された状態となる。したがって、接続部材そのものを通電させても、絶縁性を有する保護材で接続部材の表面を別途に覆う必要がない。したがって、接続部材の絶縁構造を簡素化できる。
【０００７】
また、請求項２に記載の発明は、布帛に織り込まれている複数の導電糸の各端末側を布帛から露出させ、この露出させた複数の導電糸の各端末側が電気的に接続状態となるように導電性を有する接続部材でこの各端末側を覆っている布帛における接続部材の絶縁構造であって、布帛は、接続部材が布帛の表面から露出することがないように、この布帛と隣り合う別の布帛の縁によって覆われていることを特徴とする。
この構成によれば、請求項１で説明したように布帛を折り畳まなくても、請求項１と同様の作用効果を得ることができる。
【０００８】
また、請求項３に記載の発明は、請求項１〜２のいずれかに記載の布帛における接続部材の絶縁構造であって、布帛の内面側には、クッション材が積層されており、クッション材は、接続部材側の縁が内側または外側に向けて折り畳まれる部位において、または、隣り合う別の布帛の縁によって覆われる部位において、肉薄状に形成されていることを特徴とする。
この構成によれば、接続部材を折り畳んでも、この折り畳んだ部位が肉厚になることがない。したがって、布帛に着座した時の異物感を抑制できる。
【図面の簡単な説明】
【０００９】
【図１】本発明の実施例１に係るフロントシートの全体斜視図である。
【図２】図１のフロントシートのシートクッションの天板カバーにおける接続部材の絶縁処理の工程を説明する図である。
【図３】図２の次工程を説明する図である。
【図４】図３の次工程を説明する図である。
【図５】図４の次工程を説明する図である。
【図６】図５の次工程を説明する図である。
【図７】図６の次工程を説明する図である。
【図８】図７の次工程を説明する図である。
【図９】図８の次工程を説明する図である。
【図１０】図９の次工程を説明する図である。
【図１１】図１０で絶縁処理が完了した天板カバーをサイドカバーに縫い付けてシートクッションパッドにカバーリングした縦断面の模式図である。
【図１２】本発明の実施例２に係る天板カバーにおける接続部材の絶縁処理の工程を説明する図である。
【図１３】図１２の次工程を説明する図である。
【図１４】図１３の次工程を説明する図である。
【図１５】図１４の次工程を説明する図である。
【図１６】図１５の次工程を説明する図である。
【図１７】図１６の次工程を説明する図である。
【図１８】図１７で絶縁処理が完了した天板カバーをサイドカバーに縫い付けてシートクッションパッドにカバーリングした縦断面の模式図である。
【発明を実施するための形態】
【００１０】
以下、本発明を実施するための形態を、図面を用いて説明する。
（実施例１）
まず、本発明の実施例１を、図１〜１１を用いて説明する。なお、以下の説明にあたって、「布帛」の例として、「乗物用シートである自動車のフロントシート１のシートクッション２における天板のクッションカバー（以下、単に「天板カバー３０」と記す）」を説明することとする。
【００１１】
まず、図１を参照して、フロントシート１の全体構成から説明する。このフロントシート１は、シートクッション２と、シートバック３とから構成されている。このシートクッション２のクッションカバー２０は、シートクッション２のクッションパッド１０の天板メイン部（クッションパッド１０において、凹みを成す中央部）をカバーする天板カバー３０と、シートクッション２のクッションパッド１０の左右の天板サイド部（クッションパッド１０において、盛り上がりを成す左右のサイド部）をカバーする左右のサイドカバー４０、４０とから構成されている。
【００１２】
これら天板カバー３０と、左右のサイドカバー４０、４０とは、クッションパッド１０の表面形状に沿う格好を成すように互いの縁の所定の箇所が縫い付けられている。これによりクッションカバー２０は袋状を成すため、クッションパッド１０の表面をカバーできる。
【００１３】
この天板カバー３０は、カバー本体３２と、このカバー本体３２の裏面に設けられたラミパッド３４とから構成されている。この記載が、特許請求の範囲に記載の「布帛の内面側には、クッション材が積層されており、」に相当する。なお、このサイドカバー４０も、カバー本体４２と、このカバー本体４２の裏面に設けられたラミパッド４４とから構成されている。
【００１４】
このカバー本体３２には、従来技術で説明した特許文献１の技術と同様に、その幅方向に沿って複数本のヒーター線３２ａ、・・・、３２ａが織り込まれている。このヒーター線３２ａが、特許請求の範囲に記載の「導電糸」に相当する。一方、このラミパッド３４は、後述するように、接続部材５０側の縁が内側に向けて折り畳まれる部位において、その厚みが薄い肉薄部３４ａを成すように形成されている。このラミパッド３４が、特許請求の範囲に記載の「クッション材」に相当する。なお、これらカバー本体３２、ラミパッド３４は、絶縁性を有する熱可塑性の素材から形成されている。
【００１５】
また、これら複数本のヒーター線３２ａ、・・・、３２ａの各端末も、従来技術で説明した特許文献１の技術と同様に、導電性を有する接続部材５０によって１本に纏められている。ここで、図２〜１０を参照して、この纏めの手順について説明する。なお、この説明における作業は、天板カバー３０の幅方向における両縁に同じように施すこととなる。そのため、この左右の一方側を説明することで他方側の説明を省略することとする。
【００１６】
まず、図２に示す状態から、天板カバー３０の幅方向の縁が残る格好を成すように、この縁の少し内側（例えば、縁から５ｍｍの位置）を縁に沿って帯状（例えば、幅５ｍｍの帯状）に溶かしていく作業を行う。すると、図３に示すように、溶かした部位に複数本のヒーター線３２ａ、・・・、３２ａの各端末側が露出する。次に、図４に示すように、予め用意してある接続部材５０をＵ字状に折り曲げる作業を行う。
【００１７】
ここで、接続部材５０を説明すると、接続部材５０は、絶縁性を有する熱可塑性の布材から帯状に構成されている。この接続部材５０には、その長手方向に沿って２本のメッキ銅線５２、５２が織り込まれている。接続部材５０は、このように構成されている。次に、図５に示すように、この折り曲げた接続部材５０によって露出した複数本のヒーター線３２ａ、・・・、３２ａの各端末側を上下から挟み込む作業を行う。
【００１８】
次に、図６に示すように、天板カバー３０と、複数本のヒーター線３２ａ、・・・、３２ａの各端末側を上下から挟み込んだ状態の接続部材５０とを熱溶着させる作業を行う。これにより、複数本のヒーター線３２ａ、・・・、３２ａの各端末側とメッキ銅線５２、５２とが電気的に接続状態となる。次に、図７に示すように、天板カバー３０における接続部材５０側の縁をカット（取り除く）する作業を行う。
【００１９】
次に、図８に示すように、接続部材５０を内側（ラミパッド３４側）に向けて折り畳む作業を行う。次に、図９に示すように、再度、接続部材５０を内側（ラミパッド３４側）に向けて折り畳む作業を行う。これにより、接続部材５０の両面（表面と裏面）が天板カバー３０そのものによって覆われるため、接続部材５０の露出面は絶縁された状態となる。これらの記載が、特許請求の範囲に記載の「布帛は、接続部材が布帛の表面から露出することがないように、その接続部材側の縁が内側または外側に向けて折り畳まれている」に相当する。
【００２０】
最後に、図１０に示すように、この折り畳まれた状態が保持されるように、接続部材５０の縁に沿ってカバー本体３２を縫い付ける。図１０において、符号Ｎが縫い付け箇所を示している。このようにして天板カバー３０が完成する。そして、完成した天板カバー３０は、既に説明したように、左右のサイドカバー４０、４０に対して所定の箇所が縫い付けられ、クッションカバー２０として出来上がる。このように出来上がると、図１１に示すように、シートクッション２のクッションパッド１０をカバーできる。
【００２１】
なお、このようにクッションパッド１０をカバーしたクッションカバー２０の一方側の接続部材５０のメッキ銅線５２は電源装置（図示しない）の一方側の極（例えば、＋極）に接続され、同他方側の接続部材５０のメッキ銅線５２は電源装置（図示しない）の他方側の極（例えば、−極）に接続されている。これにより、複数本のヒーター線３２ａ、・・・、３２ａに通電できるため、天板カバー３０そのもの（クッションカバー２０そのもの）を暖めることができる。
【００２２】
本発明の実施例１に係るシートクッション２の天板カバー３０における接続部材５０の絶縁構造は、上述したように構成されている。この構成によれば、接続部材５０は、２度、内側に向けて折り畳まれている。そのため、接続部材５０の両面（表面と裏面）は天板カバー３０そのものによって覆われるため、接続部材５０の露出面は絶縁された状態となる。したがって、接続部材５０そのものを通電させても、絶縁性を有する保護材で接続部材５０の表面を別途に覆う必要がない。したがって、接続部材５０の絶縁構造を簡素化できる。
【００２３】
また、この構成によれば、ラミパッド３４は、接続部材５０側の縁が内側に向けて折り畳まれる部位において、その厚みが薄い肉薄部３４ａを成すように形成されている。そのため、接続部材５０を内側に向けて折り畳んでも、この折り畳んだ部位が肉厚になることがない。したがって、クッションカバー２０がカバーされているクッションパッド１０にした着座した時の異物感を抑制できる。
【００２４】
（実施例２）
次に、本発明の実施例２を、図１２〜１８を用いて説明する。この実施例２は、既に説明した実施例１と比較すると、シートクッション１０２の天板カバー３０における接続部材５０の表面をサイドカバー４０によって覆った（絶縁した）形態である。なお、以下の説明にあたって、実施例１で説明した部材と同一もしくは均等な構成の部材には、図面において同一符号を付すことで、重複する説明は省略することとする。
【００２５】
この実施例２のシートクッション１０２のクッションカバー２０も、実施例１と同様に、シートクッション２のクッションパッド１０の天板メイン部（クッションパッド１０において、凹みを成す中央部）をカバーする天板カバー３０と、シートクッション２のクッションパッド１０の左右の天板サイド部（クッションパッド１０において、盛り上がりを成す左右のサイド部）をカバーする左右のサイドカバー４０、４０とから構成されている。
【００２６】
次に、図１２〜１７を参照して、複数本のヒーター線３２ａ、・・・、３２ａの各端末を導電性を有する接続部材５０によって１本に纏める手順について説明する。まず、図１２に示す状態から、天板カバー３０の幅方向の縁が残る格好を成すように、この縁の少し内側（例えば、縁から５ｍｍの位置）を縁に沿って帯状（例えば、幅５ｍｍの帯状）に溶かしていく作業を行う。すると、図１３に示すように、溶かした部位に複数本のヒーター線３２ａ、・・・、３２ａの各端末側が露出する。次に、図１４に示すように、予め用意してある接続部材５０をＵ字状に折り曲げる作業を行う。
【００２７】
次に、図１５に示すように、この折り曲げた接続部材５０によって露出した複数本のヒーター線３２ａ、・・・、３２ａの各端末側を上下から挟み込む作業を行う。次に、図１６に示すように、天板カバー３０と、複数本のヒーター線３２ａ、・・・、３２ａの各端末側を上下から挟み込んだ状態の接続部材５０とを熱溶着させる作業を行う。これにより、複数本のヒーター線３２ａ、・・・、３２ａの各端末側とメッキ銅線５２、５２とが電気的に接続状態となる。
【００２８】
最後に、図１７に示すように、天板カバー３０における接続部材５０側の縁をカット（取り除く）する作業を行う。このようにして天板カバー３０が完成する。そして、完成した天板カバー３０は、既に説明したように、左右のサイドカバー４０、４０に対して所定の箇所が縫い付けられ、クッションカバー２０として出来上がる。このように出来上がると、図１８に示すように、シートクッション２のクッションパッド１０をカバーできる。
【００２９】
なお、図１８からも明らかなように、完成した天板カバー３０が左右のサイドカバー４０、４０に対して所定の箇所が縫い付けられるとき、左右のサイドカバー４０、４０の縁が接続部材５０の表面を覆うように縫い付けられている。
【００３０】
本発明の実施例２に係るシートクッション１０２の天板カバー３０における接続部材５０の絶縁構造は、上述したように構成されている。この構成によれば、接続部材５０の表面は、左右のサイドカバー４０、４０の縁によって覆われているため、接続部材５０の露出面は絶縁された状態となる。したがって、実施例１と同様の作用効果を得ることができる。
【００３１】
上述した内容は、あくまでも本発明の一実施の形態に関するものであって、本発明が上記内容に限定されることを意味するものではない。
各実施例では、「布帛」の例として、「乗物用シートである自動車のフロントシート１のシートクッション２における天板カバー３０」を説明した。しかし、これに限定されるものでなく、「乗物用シートである自動車のフロントシート１のシートクッション２におけるサイドカバー４０」であっても構わない。もちろん、シートバック３の各種のカバーであっても構わない。
【００３２】
また、実施例１では、図６に示すように、天板カバー３０と、複数本のヒーター線３２ａ、・・・、３２ａの各端末側を上下から挟み込んだ状態の接続部材５０とを熱溶着させる形態を説明した。しかし、これに限定されるものでなく、天板カバー３０と、複数本のヒーター線３２ａ、・・・、３２ａの各端末側を上下から挟み込んだ状態の接続部材５０とを縫い付ける形態でも構わない。このことは実施例２においても同様である。
【００３３】
また、実施例１では、図８に示すように、接続部材５０を内側（ラミパッド３４側）に向けて折り畳む作業を行い、その後に、図９に示すように、再度、接続部材５０を内側（ラミパッド３４側）に向けて折り畳む作業を行う形態を説明した。しかし、これに限定されるものでなく、外側に向けて折り畳む形態でも構わない。
【００３４】
また、実施例１では、図１０に示すように、この折り畳まれた状態が保持されるように、接続部材５０の縁に沿ってカバー本体３２を縫い付ける形態を説明した。しかし、これに限定されるものでなく、この折り畳まれた状態が保持されるように、接続部材５０の縁に沿ってカバー本体３２を熱溶着させる形態でも構わない。
【符号の説明】
【００３５】
３０    天板カバー（布帛）
３２ａ  ヒーター線（導電糸）
４０    サイドカバー（別の布帛）
５０    接続部材
【図１】
2014136446.tif 000003
【図２】
2014136446.tif 000004
【図３】
2014136446.tif 000005
【図４】
2014136446.tif 000006
【図５】
2014136446.tif 000007
【図６】
2014136446.tif 000008
【図７】
2014136446.tif 000009
【図８】
2014136446.tif 000010
【図９】
2014136446.tif 000011
【図１０】
2014136446.tif 000012
【図１１】
2014136446.tif 000013
【図１２】
2014136446.tif 000014
【図１３】
2014136446.tif 000015
【図１４】
2014136446.tif 000016
【図１５】
2014136446.tif 000017
【図１６】
2014136446.tif 000018
【図１７】
2014136446.tif 000019
【図１８】
2014136446.tif 000020